(57)【要約】【課題】高さ方向に小型化された室内機であっても容易且つ円滑にエアフィルターを装着することのできる空気調和機の室内機を提供する。【解決手段】熱交換器２の天面側に、両縁部を上下より支持するガイド１１によってエアフィルター５が脱着可能にケーシング１内に装着されており、該ガイド１１は、天面部１１２と、エアフィルター５を導入すべく該天面部１１２よりも前方側に配される導入部１１１とを有し、該導入部１１１の導入下部位１１１ａは、天面部１１２の天面下部位１１２ａに略連続するように湾曲状に設けられており、該導入下部位１１１ａには、天面部１１２に近接して、導入下部位１１１ａと天面下部位１１２ａとによって形成される仮想曲線よりも上方側に突出した突出部１１３が設けられていることを特徴とする。【選択図】図２
2010078311.tif 000002
【特許請求の範囲】
【請求項１】
ケーシング（１）内に熱交換器（２）が内蔵されてなる空気調和機の室内機であって、上記ケーシング（１）には、少なくともその天面側に、エアフィルタ（５）が脱着可能に装着されており、上記ケーシング（１）には、上記エアフィルタ（５）を装着すべくエアフィルタ（５）の両縁部を支持するガイド（１１）が設けられており、該ガイド（１１）は、ケーシング（１）の天面側に装着されるエアフィルタ（５）の両縁部を保持する天面部（１１２）と、該天面部（１１２）にエアフィルタ（５）を導入すべく該天面部（１１２）よりも前方側に配される導入部（１１１）とを有し、該ガイド（１１）の導入部（１１１）の下面を構成する導入下部位（１１１ａ）は、該ガイド（１１）の天面部（１１２）の下面を構成する天面下部位（１１２ａ）に略連続するように斜め下方へと湾曲状に連設されており、該導入下部位（１１１ａ）には、上記天面部（１１２）に近接して、導入下部位（１１１ａ）と天面下部位（１１２ａ）とによって形成される仮想曲線よりも上方側に突出した突出部（１１３）が設けられていることを特徴とする空気調和機の室内機。
【請求項２】
上記ガイド（１１）の天面部（１１２）は、上記熱交換器（２）の頂部（２ｂ）に近接して配置され、上記突出部（１１３）は、上記天面下部位（１１２ａ）又は導入下部位（１１１ａ）が熱交換器（２）に最も近接する位置（２ａ）よりも前方側に形成されていることを特徴とする請求項１の空気調和機の室内機。
【請求項３】
上記熱交換器（２）は前面側熱交換器（２１）と背面側熱交換器（２２）とを逆Ｖ字状に組み合わせて形成されており、上記前面熱交換器（２１）の上端面（２ｂ）と前面（２１ａ）との交差部（２ａ）において、上記天面下部位（１１２ａ）又は導入下部位（１１１ａ）が熱交換器（２）に最も近接していることを特徴とする請求項２の空気調和機の室内機。
【請求項４】
上記ガイド（１１）の導入部（１１１）は、上記突出部（１１３）が形成された箇所において、上記天面部（１１２）の溝幅と略同一の溝幅となるように設けられていることを特徴とする請求項１〜３のいずれかの空気調和機の室内機。
【請求項５】
上記突出部（１１３）は、隣接する前方側の導入下部位（１１１ａ）に連続するとともに上方に立ち上がる湾曲面（１１３ａ）を有することを特徴とする請求項１〜４のいずれかの空気調和機の室内機。
【請求項６】
上記突出部（１１３）は、隣接する背面側の天面下部位（１１２ａ）に連続するとともに略水平に設けられた水平面（１１３ｂ）を有する請求項１〜５のいずれかの空気調和機の室内機。
【請求項７】
上記エアフィルタ（５）は、少なくとも先端側の中央部が、先端側の両縁部よりも熱交換器（２）側に湾曲して形成されていることを特徴とする請求項１〜６のいずれかの空気調和機の室内機。
【請求項８】
上記ガイド（１１）の天面部（１１２）は、エアフィルタ（５）の縁部の厚さよりも僅かに大きな寸法の間隔でもって設けられていることを特徴とする請求項１〜７のいずれかの空気調和機の室内機。
【発明の詳細な説明】
【技術分野】
【０００１】
この発明は、空気調和機の室内機に係るものである。
【背景技術】
【０００２】
空気調和機の室内機は、ケーシング内に熱交換器が内蔵されており、このケーシングと熱交換器との間にエアフィルターが脱着可能に装着されている。そして、このエアフィルターの装着に際しては、エアフィルターの両縁部を支持するガイド溝がケーシングに設けられており、このガイド溝を介してエアフィルターが装着されている（特許文献１、２を参照）。
【０００３】
一方、近年、室内機の機械容積を小さくする要望があり、室内機の高さを小さくする必要が生じている。このため、室内機のケーシングは、天面部において、熱交換器と近接して設けられる必要が生じており、このケーシングの天面部と熱交換器との間のわずかな隙間部分にエアフィルターを装着する必要がある。
【０００４】
また、エアフィルターにあっては、両縁部よりも中央部が熱交換器側に湾曲しているものが存在する。かかるエアフィルターを上述したように天面部にわずかな隙間しかない室内機に装着する際には以下のような問題が発生すると懸念される。つまり、エアフィルターを挿入した際、エアフィルターの先端縁部はガイド溝にガイドされてスムーズに挿入されるものの、エアフィルターの先端中央部は熱交換器側に湾曲しているので熱交換器と当接してしまい、天面部の隙間にスムーズに挿入することができないということである。
【先行技術文献】
【特許文献】
【０００５】
【特許文献１】特開平１１−２７６８２７号公報
【特許文献２】特開２００７−１９２４５５号公報
【発明の概要】
【発明が解決しようとする課題】
【０００６】
この発明は上記した従来の欠点を解決するためになされたものであって、その目的は、高さ方向に小型化された室内機であっても容易且つ円滑にエアフィルターを装着することのできる空気調和機の室内機を提供することにある。
【課題を解決するための手段】
【０００７】
上記課題を解決するため、この発明空気調和機の室内機は、ケーシング１内に熱交換器２が内蔵されてなる空気調和機の室内機であって、上記ケーシング１には、少なくともその天面側に、エアフィルター５が脱着可能に装着されており、上記ケーシング１には、上記エアフィルター５を装着すべくエアフィルター５の両縁部を支持するガイド１１が設けられており、該ガイド１１は、ケーシング１の天面側に装着されるエアフィルター５の両縁部を保持する天面部１１２と、該天面部１１２にエアフィルター５を導入すべく該天面部１１２よりも前方側に配される導入部１１１とを有し、該ガイド１１の導入部１１１の
下面を構成する導入下部位１１１ａは、該ガイド１１の導入部１１１の下面を構成する天面下部位１１２ａに略連続するように斜め下方へと湾曲状に設けられており、該導入下部位１１１ａには、上記天面部１１２に近接して、導入下部位１１１ａと天面下部位１１２ａとによって形成される仮想曲線よりも上方側に突出した突出部１１３が設けられていることを特徴とする。また、この発明の空気調和機の室内機は、上記ガイド１１の天面部１１２は、上記熱交換器２の頂部２ｂに近接して配置され、上記突出部１１３は、上記天面下部位１１２ａ又は導入下部位１１１ａが熱交換器２に最も近接する位置２ａよりも前方側に形成されていることを特徴とする。そしてこのとき、上記熱交換器２は前面側熱交換器２１と背面側熱交換器２２とを逆Ｖ字状に組み合わせて形成されており、上記前面熱交換器２１の上端面２ｂと前面２１ａとの交差部２ａにおいて、上記天面下部位１１２ａ又は導入下部位１１１ａが熱交換器２に最も近接している。
【０００８】
また、本発明にあっては、ガイド１１の導入部１１１が、上記突出部１１３が形成された箇所において、上記天面部１１２の溝幅と略同一の溝幅となるように設けられている構成を採用することができる。
【０００９】
また、本発明にあっては、上記突出部１１３が、隣接する前方側の導入下部位１１１ａに連続するとともに上方に立ち上がる湾曲面１１３ａを有する構成を採用することができる。
【００１０】
また、本発明にあっては、上記突出部１１３が、隣接する背面側の天面下部位１１２ａに連続するとともに略水平に設けられた水平面１１３ｂを有する構成を採用することができる。
【００１１】
また、本発明にあっては、上記エアフィルター５が、少なくとも先端側の中央部が、先端側の両縁部よりも熱交換器２側に湾曲して形成されている構成を採用することができる。
【００１２】
また、本発明にあっては、上記ガイド１１の天面部１１２が、エアフィルター５の縁部の厚さよりも僅かに大きな寸法の間隔でもって設けられている構成を採用することができる。
【発明の効果】
【００１３】
この発明の空気調和機の室内機では、仮に中央部が縁部よりも熱交換器２側に湾曲したエアフィルター５であっても、容易、かつスムーズに装着することができる。つまり、エアフィルター５を装着するに際して、まずエアフィルター５は、両縁部がガイド１１の導入部１１１によってガイドされつつ、先端部が天面部１１２付近まで挿入される。そして、エアフィルター５の縁部がガイド１１の突出部１１３と当接することによって、エアフィルター５の先端中央部が上方に持ち上がり、熱交換器２の頂部２ａに当接しない位置を通過して、エアフィルター５の先端が天面部１１２に到達する。その後、エアフィルター５は、両縁部がガイド１１の天面部１１２によってガイドされて所望位置に装着されることになる。このため、本発明の空気調和機の室内機にあっては、容易且つ円滑にエアフィルター５を装着することができる。
【００１４】
また、ガイド１１の導入部１１１を、上記突出部１１３が形成された箇所において、上記天面部１１２の溝幅と略同一の溝幅となるように設けられている構成を採用することにより、この突出部１１３の形成された箇所を通過する際にエアフィルター５はがたつきなくスムーズ且つ確実に装着作業を行うことができる。
【００１５】
また、突出部１１３が、隣接する前方側の導入下部位１１１ａに連続するとともに上方に立ち上がる湾曲面１１３ａを有する構成を採用することで、この突出部１１３の形成された箇所を通過する際に、この突出部１１３の湾曲面１１３ａとの当接によってエアフィルター５の先端が斜め上方に向くため、中央部が縁部よりも熱交換器２側に湾曲したエアフィルター５であっても、容易且つスムーズに装着することができる。つまり、突出部１１３の湾曲面１１３ａとの当接によってエアフィルター５の先端が斜め上方に向くことにより、エアフィルター５の先端中央部の上下位置が上方に移動するため、これにより、熱交換器２とその上方のケーシング１との隙間が僅かな場合であっても、この隙間部分にエアフィルター５の先端中央部が嵌り込みやすく、円滑にエアフィルター５を装着することができる。
【００１６】
また、突出部１１３が、隣接する背面側の天面下部位１１２ａに連続するとともに略水平に設けられた水平面１１３ｂを有する構成を採用することで、突出部１１３において上方に持ち上がったエアフィルター５の先端が、水平面１１３ｂを介して次にスムーズに天面部１１２に移行することができる。
【００１７】
また、エアフィルター５が、少なくとも先端中央部が、先端両縁部よりも熱交換器２側に湾曲して形成されている場合であっても、このエアフィルター５の先端中央部が熱交換器２の天面部１１２に当接することなく、円滑にエアフィルター５を装着することができる。
【００１８】
また、ガイド１１の天面部１１２が、エアフィルター５の縁部の厚さよりも僅かに大きな寸法の間隔でもって設けられている構成を採用することによって、装着されたエアフィルター５のがたつきをほぼ完全に防止することができる。
【図面の簡単な説明】
【００１９】
【図１】この発明の一実施形態に係る空気調和機の室内機を説明するための概略的斜視図である。
【図２】同室内機の断面図である。
【図３】同室内機の断面図の要部拡大図である。
【発明を実施するための形態】
【００２０】
以下、この発明の実施形態を図面に基づいて詳細に説明する。この発明の一実施形態に係る空気調和機の室内機は、図１および図２に示すように、吸込み口１ａから吸い込んだ室内空気と熱交換を行う逆Ｖ字状の熱交換器２、および、熱交換された空気を吹出し口１ｂから室内に送風するための略円筒形状のファン３がケーシング１内に内蔵されている。上記熱交換器２は、ファン３の前方、上方および後部上方を取り囲むように取り付けられている。該熱交換器２の頂部２ａは、ケーシング１の天面に近接して設けられ、室内機の機械容積が小さく設計されている。また、熱交換器２の下部には、冷房時に熱交換器２の表面に生じる露が室内に落下しないように受け止めるドレンパン４が設けられている。
【００２１】
また、上記ケーシング１の天面部には、吸込み口１ａを覆うエアフィルター５を装着すべくエアフィルター５の左右両縁部を上下より支持するガイド１１が設けられており、これにより、ケーシング１内には、熱交換器２の天面側に、エアフィルター５が脱着可能に装着されている。該エアフィルター５は、縁部よりも中央部が熱交換器２側に湾曲している場合が多い。
【００２２】
ここで、該ガイド１１は、天面箇所に水平に配されるとともに装着されたエアフィルター５の両縁部を保持する天面部１１２と、該天面部１１２にエアフィルター５を導入すべく該天面部１１２よりも前方側に配される導入部１１１とを有している。ここで、天面部１１２は、エアフィルター５の縁部の厚さよりも僅かに大きな寸法の間隔（溝幅）となるように設けられている。より具体的に説明すると、天面部１１２は、エアフィルター５の上方に位置する天面上部位１１２ｂとエアフィルター５の下方に位置する天面下部位１１２ａとからなり、この天面上部位１１２ｂと天面下部位１１２ａとの間隔が上記エアフィ
ルター５の縁部の厚さよりも僅かに大きな寸法の間隔（溝幅）をあけて設けられているということである。
【００２３】
また、ガイド１１の導入部１１１は、エアフィルター５の上方に位置する導入上部位１１１ｂとエアフィルター５の下方に位置する導入下部位１１１ａとからなり、この導入上部位１１１ｂと導入下部位１１１ａとの間隔は上記エアフィルター５の縁部の厚さよりも大きく、つまり、導入部１１１は、エアフィルター５の縁部の厚さよりも大きな間隔（溝幅）でもって設けられている。
【００２４】
さらに、該ガイド１１の導入部１１１の導入上部位１１１ｂは、天面部１１２の天面上部位１１２ｂに連続するように湾曲状に設けられている。また、ガイド１１の導入部１１１の導入下部位１１１ａは、天面部１１２の天面下部位１１２ａに略連続するように斜め下方へと湾曲状に設けられている。ここで、導入下部位１１１ａには、上記天面部１１２に近接して、導入下部位１１１ａと天面下部位１１２ａとによって形成される仮想曲線よりも上方側に突出した突出部１１３が設けられている。このように、ガイド１１は、導入部１１１と天面部１１２とにおいて上下部位を有する溝形状（ガイド溝）となされているが、例えば、上記突出部１１３よりも奥側の天面下部位１１２ａの一部あるいは全部を省略して実施することもあり、ガイド１１の全体が溝形状になっていないこともある。
【００２５】
上記突出部１１３は、隣接する前方側の導入下部位１１１ａに連続するとともに上方に立ち上がる湾曲面１１３ａと、この湾曲面１１３ａに連続するとともに略水平に設けられた水平面１１３ｂとを有しており、該水平面１１３ｂは、隣接する背面側の天面下部位１１２ａに連続して設けられている。また、突出部１１３は、突出部１１３の頂点と、導入上部位１１１ｂとの間隔が、エアフィルター５の縁部の厚さよりも僅かに広い間隔となるような高さに設けられている。
【００２６】
なお、上記突出部１１３、導入上部位１１１ｂ、導入下部位１１１ａ、天面上部位１１２ｂ、および天面下部位１１２ａは、樹脂によって一体成型されて構成されている。
【００２７】
本実施形態の室内機は、上記構成からなるが、エアフィルター５の装着方法について以下説明する。
【００２８】
エアフィルター５を装着するに際して、まずエアフィルター５は、左右両縁部がガイド１１の導入部１１１によってガイドされつつ、先端部が天面部１１２付近まで挿入される。そして、エアフィルター５の縁部がガイド１１の突出部１１３の湾曲面１１３ａと当接することによって、エアフィルター５の先端が上方に持ち上がる。ここで、エアフィルター５は導入下部位１１１ａに連続する湾曲面１１３ａと当接するので、スムーズに上方に持ち上がる。特に、突出部１１３の湾曲面１１３ａとの当接によってエアフィルター５の先端が斜め上方に向くことにより、エアフィルター５の先端中央部が両縁部側に引き延ばされて湾曲形状が修正されて平板状になり、また、エアフィルター５の先端中央部の上下位置が上方に移動するため、熱交換器２の頂部２ａへの当接が防止され、頂部２ａとその上方のケーシング１との僅かな隙間部分にエアフィルター５の先端中央部が嵌り込みやすく、円滑にエアフィルター５を装着することができる。
【００２９】
そして、このように先端中央部が熱交換器２の上方を通過したエアフィルター５は、その縁部が続いて突出部１１３の水平面１１３ｂに移行する。ここで、水平面１１３ｂは上記湾曲面１１３ａに連続して設けられているので、かかる移行もスムーズになされることになる。
【００３０】
さらに、このように縁部が水平部を移行したエアフィルター５は、その後、ガイド１１の天面部１１２に移行する。この天面部１１２への移行も、天面部１１２と水平面１１３ｂとが連続して設けられているので、スムーズになされることになる。
【００３１】
そして、このように縁部が天面部１１２に移行したエアフィルター５は、天面部１１２によってガイドされて所望位置に、がたつきなく装着されることになる。
【００３２】
ここで上記実施形態の主要部についてさらに説明する。図２に示すように、上記熱交換器２は前面側熱交換器２１と背面側熱交換器２２とを逆Ｖ字状に組み合わせて形成されている。すなわち、前面側熱交換器２１と背面側熱交換器２２とは、両者を一体に形成しておき、その中間部においてその両側を逆Ｖ字状に折曲形成したような形状とされている。そして、各熱交換器２１、２２の頂部２ｂが熱交換器２の天面部を形成している。上記熱交換器２の頂部２ｂの上部には、図３に示すように、主としてガイド１１の天面部１１２（場合によっては、天面部１１２及び導入部１１１）が配置されている。また、上記ガイド１１は、図２に示すように、前面側熱交換器２１の前面２１ａに、前面部１１４が配置される。この前面部１１４は、導入下部位１１１ａに連設され、また、導入下部位１１１ａは上記したように、天面下部位１１２ａに連設されている。
【００３３】
そして、上記天面下部位１１２ａを熱交換器２の頂部２ｂに近接させ、また、前面部１１４を熱交換器２の前面２１ａに近接させ、かつ、両者間を導入下部位１１１ａで滑らかに円弧状に連設しようとする場合、導入下部位１１１ａの曲率半径をあまり小さくできない。そのため、導入下部位１１１ａ（あるいは場合によっては、天面下部位１１２ａ）が、前面熱交換器２１の上端面２ｂと前面２１ａとの交差部（角部）２ａに近接してしまうことになる。このような事態を回避しようとすれば、上記天面下部位１１２ａを熱交換器２の頂部２ｂとの距離、及び前面部１１４を熱交換器２の前面２１ａとの距離を大きくすればよいが、これではコンパクト化を図ることができない。また、導入下部位１１１ａの曲率半径を小さくすることも考えられるが、この場合には、成形性、エアフィルタ５の可撓性不足などの問題が生じる。従って、前面熱交換器２１の上端面２ｂと前面２１ａとの交差部２ａにおいて、天面下部位１１２ａ又は導入下部位１１１ａが熱交換器２に最も近接して配置されるのは避けることが困難である。そして、従来は、エアフィルタ５の挿入時に、エアフィルタ５がこの部分に干渉するという不具合があった。
【００３４】
そこで、この実施形態においては、天面下部位１１２ａ又は導入下部位１１１ａが熱交換器２に最も近接する位置２ａにおいてエアフィルタ５の先端を上方に持ち上げるように、この位置２ａよりも前方側（前方下方の位置）に突出部１１３を配置しているのである。
【００３５】
この発明は、上記実施形態に限定されるものではなく、この発明の範囲内で上記実施形態に多くの修正及び変更を加え得ることは勿論である。
【符号の説明】
【００３６】
１・・ケーシング、１ａ・・吸込み口、１ｂ・・吹出し口、２・・熱交換器、３・・ファン、４・・ドレンパン、５・・エアフィルター、１１・・ガイド、１１１・・導入部、１１１ａ・・導入下部位、１１１ｂ・・導入上部位、１１２・・天面部、１１２ａ・・天面下部位、１１２ｂ・・天面上部位、１１３・・突出部、１１３ａ・・湾曲面、１１３ｂ・・水平面
【図１】
2010078311.tif 000003
【図２】
2010078311.tif 000004
【図３】
2010078311.tif 000005